(57)【要約】【課題】電磁波ノイズを低減させる。【解決手段】一対の差動信号Ｔ１，Ｔ２は、第一信号層２０６と第二信号層２１２とを交互に入れ替わり、且つ交差しながら伝送されていく。なお、一対の差動信号Ｔ１，Ｔ２が伝送される距離は等しい（等長である）。また、一方の差動信号Ｔ１と他方の差動信号Ｔ２は、プリント配線基板２１の面に対して垂直方向に平面視すると、中央部３０２、３５２（重なり合う部分）において、互いに向きが反対方向に、且つ平行に伝送されている。【選択図】図４
2008187088.tif 000002
【特許請求の範囲】
【請求項１】
複数の導電層に形成され、差動で動作する信号が伝送される配線部を備え、
前記配線部が２つの前記導電層間を交互に入れ替え、導電層面に対して垂直方向から見て重なり合う部分の最大幅が一方の前記配線部の最小幅よりも幅広であることを特徴とするプリント配線基板。
【請求項２】
平面視において、前記重なり合う部分における信号の伝送方向がほぼ平行とされていることを特徴とする請求項１に記載のプリント配線基板。
【請求項３】
前記一対の配線部の長さが互いにほぼ等しいことを特徴とする請求項１、又は請求項２に記載のプリント配線基板。
【請求項４】
一対の前記配線部が、
一方の前記導電層に形成され、一列に配列された複数の第一配線パターンと、
他方の前記導電層に形成され、平面視において前記第一配線パターンと交差して重なり合う複数の第二配線パターンと、
前記第一配線パターンの一方側の端部と前記第二配線パターン他方側の端部とを接続し、前記第一配線パターンの他方側の端部と前記第二配線パターンの一方側の端部を接続する層間接続部と、
を含んで構成されていることを特徴とする請求項１から請求項３のいずれか１項に記載のプリント配線基板。
【請求項５】
前記第一配線パターン及び前記第二配線パターンが、
重なり合う中央部と、
前記中央部から配列方向に互いに反対方向に突出した一対の突出部と、
を有し、
前記中央部は、前記第一配線パターンと前記第二配線パターンとでほぼ同一形状であると共に、平面視において前記中央部同士がほぼずれることなく重なり、
前記突出部は、平面視において前記第一配線パターンと前記第二配線パターンとで異なる位置から突出されていると共に、前記第一配線パターンの一方の前記突出部と前記第二配線パターンの他方の前記突出部とが前記層間接続部で接続され、前記第一配線パターンの他方の前記突出部と前記第二配線パターンの一方の前記突出部とが前記層間接続部で接続されていることを特徴とする請求項４に記載のプリント配線基板。
【請求項６】
請求項１から請求項５のいずれか１項に記載のプリント配線基板を備え、差動で動作する信号を前記プリント配線基板で伝送していることを特徴とする画像形成装置。
【請求項７】
前記差動で動作する信号が、カラー画像の画像信号であることを特徴とする請求項６に記載の画像形成装置。
【発明の詳細な説明】
【技術分野】
【０００１】
本発明は、プリント配線基板、及び画像形成装置に関する。
【背景技術】
【０００２】
電子・電気機器等に使用されているプリント配線板には、電磁波ノイズ低減対策が施されている。
【０００３】
例えば、特許文献１では、両面構造フレキシブルプリント配線基板の表面側の導電層を、互いに平行な右下がりの複数の表面配線にパターニングすると共に裏面側の導電層を表面配線に交差させ、且つ互いに平行な右上がり（表面側から見て）の複数の裏面配線にパターニングして、全体としてツイストペア構造を構成することで、電磁ノイズを低減させている（例えば、特許文献１を参照）。
【０００４】
また、例えば、特許文献２では、差動で動作している２本の信号線の配線を平行に、且つお互いの直近に配置し、お互いの信号線のエネルギーを相殺し合うことにより不要輻射ノイズを低減さている（例えば、特許文献２を参照）。
【特許文献１】特開２００１−０６０７４６号公報
【特許文献２】特開２００１−２６７７０１号公報
【発明の開示】
【発明が解決しようとする課題】
【０００５】
本発明は、差動信号の電磁波ノイズが互いに相殺される効果を向上させることが目的である。
【課題を解決するための手段】
【０００６】
請求項１に記載のプリント配線基板は、複数の導電層に形成され、差動で動作する信号が伝送される配線部を備え、前記配線部が２つの前記導電層間を交互に入れ替え、導電層面に対して垂直方向から見て重なり合う部分の最大幅が一方の前記配線部の最小幅よりも幅広であることを特徴としている。
【０００７】
請求項２に記載のプリント配線基板は、請求項１に記載の構成において、平面視において、前記重なり合う部分における信号の伝送方向がほぼ平行とされていることを特徴としている。
【０００８】
請求項３に記載のプリント配線基板は、請求項１、又は請求項２に記載の構成において、前記一対の配線部の長さが互いにほぼ等しいことを特徴としている。
【０００９】
請求項４に記載のプリント配線基板は、請求項１から請求３のいずれか１項に記載の構成において、一対の前記配線部が、一方の前記導電層に形成され、一列に配列された複数の第一配線パターンと、他方の前記導電層に形成され、平面視において前記第一配線パターンと交差して重なり合う複数の第二配線パターンと、前記第一配線パターンの一方側の端部と前記第二配線パターン他方側の端部とを接続し、前記第一配線パターンの他方側の端部と前記第二配線パターンの一方側の端部を接続する層間接続部と、を含んで構成されていることを特徴としている。
【００１０】
請求項５に記載のプリント配線基板は、請求項４に記載の構成において、前記第一配線パターン及び前記第二配線パターンが、重なり合う中央部と、前記中央部から配列方向に互いに反対方向に突出した一対の突出部と、を有し、前記中央部は、前記第一配線パターンと前記第二配線パターンとでほぼ同一形状であると共に、平面視において前記中央部同士がほぼずれることなく重なり、前記突出部は、平面視において前記第一配線パターンと前記第二配線パターンとで異なる位置から突出されていると共に、前記第一配線パターンの一方の前記突出部と前記第二配線パターンの他方の前記突出部とが前記層間接続部で接続され、前記第一配線パターンの他方の前記突出部と前記第二配線パターンの一方の前記突出部とが前記層間接続部で接続されていることを特徴としている。
【００１１】
請求項６に記載の画像形成装置は、請求項１から請求項５のいずれか１項に記載のプリント配線基板を備え、差動で動作する信号を前記プリント配線基板で伝送していることを特徴としている。
【００１２】
請求項７に記載の画像形成装置は、請求項６に記載の構成において、前記差動で動作する信号が、カラー画像の画像信号であることを特徴している。
【発明の効果】
【００１３】
請求項１に記載のプリント配線基板によれば、本構成を適用しない場合に比べ、重なり合う部分が広くなり、差動信号の電磁波ノイズが互いに相殺される効果を向上させることができるので、差動信号の電磁波ノイズを低減させることができる。
【００１４】
請求項２に記載のプリント配線基板によれば、重なり合う部分における信号の伝送方向が平行でない場合に比べ、差動信号の電磁波ノイズが互いに相殺される効果を向上させることできる。
【００１５】
請求項３に記載のプリント配線基板によれば、一対の配線部の長さが等しくない場合に比べ、差動信号の伝送速度を高速にすることができる。
【００１６】
請求項４に記載のプリント配線基板によれば、本構成を適用していない場合に比べ、容易に導電層間を交互に入れ替わりながら差動信号の配線をすることができる。
【００１７】
請求項５に記載のプリント配線基板によれば、本構成を適用していない場合に比べ、重なり合う部分における差動信号の伝送方向を容易にほぼ平行にすることができる。
【００１８】
請求項６に記載の画像形成装置によれば、本構成のプリント配線基板を用いていない場合に比べ、装置外に放射される電磁波ノイズを低減させることができる。
【００１９】
請求項７に記載の画像形成装置によれば、多チャンネルであるカラー画像の画像信号を本構成のプリント配線基板で伝送することで、装置外に放射される電磁波ノイズを低減させることができる。
【発明を実施するための最良の形態】
【００２０】
以下、図１から図７を参照して、本発明の実施の形態の一例を詳細に説明する。
【００２１】
図１は、本発明に係るプリント配線基板を備える画像形成装置の一例としてのカラー複写装置０１の機構図である。
【００２２】
カラー複写装置０１は、画像取得部１０、画像処理部２０、画像出力部３０、及びプラテンカバーの機能も備えた自動原稿搬送装置６０等によって構成されている。画像処理部２０は、例えば、画像取得部１０と画像出力部３０との境界部分に配置されたプリント配線基板２１を挙げることができる。
【００２３】
画像取得部１０は、筐体１１２と、この筐体１１２上に設けられた透明ガラスによって構成されているプラテンガラス１１と、を備える。また、画像取得部１０は、筐体１１２の内プラテンガラス１１の下方に、プラテンガラス１１の裏面（原稿を載せる上面と反対側の面）に向かって光を照射する光源１２と、光源１２から発せられた光をプラテンガラス１１側に反射させる略凹状の反射笠１３１及び反射鏡１３２と、プラテンガラス１１側からの反射光をプラテンガラス１１に略平行の方向に偏向する反射ミラー１３４ａと、を有するフルレートキャリッジ（Ｆ／Ｒ−ＣＲＧ）１３４を備える。
【００２４】
本実施形態において光源１２としては、主走査方向（図における紙面直交方向）を長手方向とする蛍光ランプが使用されている。また、画像取得部１０は、筐体１１２内に略直角を形成するように配された２つの反射ミラー１３６ａ，１３６ｂを有し、フルレートキャリッジ１３４によって偏向された反射光を順次略９０°づつ偏向するハーフレートキャリッジ（Ｈ／Ｒ−ＣＲＧ）１３８を備える。フルレートキャリッジ１３４及びハーフレートキャリッジ１３８は、図示しないステッピングモータにより、連動して、副走査方向（図１中矢印Ｘ方向）及び、これと反対方向に往復移動可能に構成されている。
【００２５】
更に、画像取得部１０は、筐体１１２内に、反射ミラー１３６ｂにより偏向された反射光を所定の焦点位置に集光するレンズ１４０と、レンズ１４０で収束された反射光を受光して副走査方向と略直交する主走査方向（図１の紙面奥行き方向）に画像を読み取り、濃度に応じた画像信号（アナログの電気信号）を順次出力する受光部１３とを備える。受光部１３は、ＣＣＤ（ＣｈａｒｇｅＣｏｕｐｌｅｄ  Ｄｅｖｉｃｅ）などの光電変換素子で構成されているラインセンサ（図示略）を駆動するＣＣＤドライバなどの駆動回路（図示略）や読取信号処理部（図示略）等と共にプリント配線基板２２に配設される。
【００２６】
また、図示していないが、画像取得部１０は、筐体１１２内に、フルレートキャリッジ１３４等の読取光学系や受光部１３などをプラテンガラス１１下で移動させるためのワイヤや駆動プーリなども具備する。駆動プーリは、駆動モータの駆動力によって往復回転させられ、該回転駆動によってワイヤを当該駆動プーリに巻き取ることで、プラテンガラス１１の下方において読取光学系などを所定速度で移動させる。
【００２７】
自動原稿搬送装置６０は、給紙トレイ６２と、処理トレイ６３と、原稿Ｇの搬送路を形成するためのレジストロール対６４ａやエグジットロール対６４ｂなどの種々の搬送ロール対６４と、を備える。
【００２８】
さて、カラー複写装置０１は、搬送読取方式と固定読取方式とで原稿Ｇの原稿画像を読み取ることができる。
【００２９】
搬送読取方式は、フルレートキャリッジ１３４等の読取光学系を原稿Ｇの搬送経路上であるプラテンガラス１１下の所定の位置に固定（停止ロック）させた状態で原稿Ｇを自動原稿搬送装置６０により搬送させながら画像を読み取る。つまり、原稿Ｇを所定の速度で搬送させながら原稿画像を読み取る。
【００３０】
一方、固定読取方式は、人手によりプラテンガラス１１の上面に原稿を載せ、当該プラテンガラス１１上の任意の位置に固定（停止ロック）させた状態で、フルレートキャリッジ１３４等の読取光学系を矢印Ｘの方向へ等速移動走査して原稿Ｇを露光し原稿画像を読み取る。
【００３１】
このようにして読み取られた原稿Ｇの原稿画像は、フルレートキャリッジ１３４やハーフレートキャリッジ１３８により光路を変え、レンズ１４０により縮小され、受光部１３に至る。そして、読取信号処理部（図示略）や同時化処理部（図示略）などによる処理を受けた後に画像処理部２０に送られる。
【００３２】
このようにして、読み取りが完了すると、画像処理部２０は、画像取得部１０からの赤、緑、青の画像データＲ，Ｇ，Ｂに基づいて、ブラック（Ｋ）、イエロー（Ｙ）、マゼンタ（Ｍ）、シアン（Ｃ）の２値化信号（画像信号）を得て、画像出力部３０に出力する。
【００３３】
ここで、画像処理部２０と画像出力部３０とは、フレキシブルプリント配線基板２００で接続されている。そして、このフレキシブルプリント基板２００を介して、画像処理部２０から画像出力部３０へとフルカラー画像の画像信号が伝送される。なお、フルカラー画像の画像信号（本実施形態ではＹＭＣＫ信号）は差動型信号である。
【００３４】
さて、本実施形態の画像出力部３０は、一方向に所定の間隔をおいて配置されたＫ，Ｙ，Ｍ，Ｃの各色の画像形成部３１Ｋ，３１Ｙ，３１Ｍ，３１Ｃを有する。先端検出器４４が、給紙カセット４１から各画像形成部３１Ｋ，３１Ｙ，３１Ｍ，３１Ｃに搬送される記録用紙の搬送経路上に近接して設けられている。この先端検出器４４は、給紙カセット４１からレジストローラ４２を通じて転写ベルト４３上に送り出された記録用紙の先端を、例えば、光学的に検出して先端検出信号を得、この先端検出信号を画像処理部２０に送る。画像処理部２０は、入力された先端検出信号に同期して、Ｋ，Ｙ，Ｍ，Ｃの各色のオンオフ２値化信号を順次所定間隔をおいて得る。
【００３５】
画像出力部３０においては先ず、半導体レーザ３８Ｋが画像処理部２０からのブラックのオンオフ２値化信号（差動信号）によって駆動されることで、ブラックのオンオフ２値化信号を光信号に変換し、この変換されたレーザ光をポリゴンミラー３９に向けて照射する。このレーザ光は、更に反射ミラー４７Ｋ，４８Ｋ，４９Ｋを介して一次帯電器３３Ｋによって帯電された感光体ドラム３２Ｋ上を走査することで、感光体ドラム３２Ｋ上に静電潜像を形成する。
【００３６】
この静電潜像は、ブラックのトナーが供給される現像器３４Ｋによってトナー像とされ、このトナー像は、転写ベルト４３上の原稿が感光体ドラム３２Ｋを通過する間に転写帯電器３５Ｋによって原稿上に転写される。そして転写後は、クリーナ３６Ｋによって感光体ドラム３２Ｋ上から余分なトナーが除去される。
【００３７】
同様に、半導体レーザ３８Ｙ，３８Ｍ，３８Ｃは、画像処理部２０からブラックのオンオフ２値化信号に対して順次所定間隔をおいて得られる対応するＹ，Ｍ，Ｃの各色のオンオフ２値化信号によって駆動されることで、各色のオンオフ２値化信号を光信号に変換し、この変換されたレーザ光をポリゴンミラー３９に向けて照射する。このレーザ光は、更に反射ミラー４７Ｙ〜４９Ｙ，４７Ｍ〜４９Ｍ，４７Ｃ〜４９Ｃを介して一次帯電器３３Ｙ，３３Ｍ，３３Ｃによって帯電された対応する感光体ドラム３２Ｙ，３２Ｍ，３２Ｃ上を走査することで、感光体ドラム３２Ｙ，３２Ｍ，３２Ｃ上に静電潜像を順次形成する。
【００３８】
各静電潜像は、各色のトナーが供給される現像器３４Ｙ，３４Ｍ，３４Ｃによって順次トナー像とされ、各トナー像は、転写ベルト４３上の記録用紙が対応する感光体ドラム３２Ｙ，３２Ｍ，３２Ｃを通過する間に対応する転写帯電器３５Ｙ，３５Ｍ，３５Ｃによって記録用紙に順次転写される。
【００３９】
このようにＫ，Ｙ，Ｍ，Ｃの各色のトナー像が順次多重転写された記録用紙は、転写ベルト４３上から剥離され、定着ローラ４５によってトナーが定着されて、カラー複写装置１の外部に排出される。
【００４０】
なお、画像出力部３０は、１個のレーザ光スキャナによって１個の感光体ドラム上にＫ，Ｙ，Ｍ，Ｃの各色の静電潜像が順次形成され、静電潜像が感光体ドラムの周囲に設けられた、それぞれＫ，Ｙ，Ｍ，Ｃの各色のトナーが供給される現像器によって順次トナー像とされ、トナー像が転写ドラム上に吸着された原稿上に順次、多重転写される構成でもよい。
【００４１】
次に、本発明の実施形態に係るプリント配線基板としてのプリント配線基板２１（リジットプリント配線基板）について、詳しく説明する。
【００４２】
図２（Ａ）に示すように、プリント配線基板２１は四角形を形成している。また、図２（Ｂ）に模式的に示すように、絶縁層２０２と導電層２０４とが交互に積層されている。本実施形態のプリント配線基板２１の導電層２０４は４層構造となっている。具体的には、図における上層側から順番に第一信号層２０６、ＶＣＣ（電源）層２０８、ＧＮＤ（接地）層２１０、第二信号層２１２の四層である。
【００４３】
なお、図２（Ａ）に示すように、プリント配線基板２１の幅を幅方向（矢印Ｗ方向）、換言すると、ケーブルの長手方向（矢印Ｓ方向）と直交する方向を幅方向とする。
【００４４】
図７に示すＹ、Ｍ、Ｃ、Ｋ、それぞれに一対の差動信号Ｔ１ｙ，Ｔ２ｙ、差動信号Ｔ１ｍ，Ｔ２ｍ、差動信号Ｔ１ｃ，Ｔ２ｃ、差動信号Ｔ１ｋ，Ｔ２ｋを伝送するための一対の配線パターンが、第一信号層２０６（図２（Ｂ）参照）と第二信号層２１２（図２（Ｂ）参照）に設けられている。
【００４５】
なお、Ｙ，Ｍ，Ｃ，Ｋを特に区別する必要が無い場合は、差動信号Ｔ１，Ｔ２と記載する。また、一対の配線パターンはＹ，Ｍ，Ｃ，Ｋいずれも同様の構成であるので、以降の配線パターンの説明では、Ｙ、Ｍ、Ｃ、Ｋを区別することなく、且ついずれかの一つの一対の配線パターンを図示すると共に説明する。
【００４６】
図３（Ａ）と図４とに示すように、第一信号層２０６（図２（Ｂ）参照）には、複数の第一配線パターン３００が形成されている。図６（Ａ）にも示すように、第一配線パターン３００は、矩形状の中央部３０２を有している。更に、中央部３０２の、図における左下部から左側に突出する矩形状の第一突出部３０４と右上部から右側に突出する矩形状の第二突出部３０６とを有している。そして、図３（Ａ）と図４とに示すように、第一突出部３０４と第二突出部３０６の端部同士が幅方向に見ると重なるように長手方向に一列に並んで配置されている。
【００４７】
図３（Ｂ）と図４とに示すように、第二信号層２１２（図２（Ｂ）参照）には、複数の第二配線パターン３５０が形成されている。図６（Ｂ）にも示すように、第二配線パターン３５０は、矩形状の中央部３５２を有している。更に、中央部３５２の、図における左上部から左側に突出する矩形状の第一突出部３５４と右下部から右側に突出する矩形状の第二突出部３５６とを有している。そして、図３（Ｂ）と図４とに示すように、第一突出部３５４と第二突出部３５６の端部同士が幅方向に見ると重なるように長手方向に一列に並んで配置されている。
【００４８】
図６（Ａ）と図６（Ｂ）とに示すように、第一配線パターン３００の中央部３０２と第二配線パターン３５０の中央部３５２とはほぼ同一形状（形状・大きさ共にほぼ同じ）である。また、第一突出部３０４、３５４、第二突出部３０６、３５６のいずれもほぼ同一形状である。
【００４９】
よって、第一配線パターン３００と第二配線パターン３５０とは、図における上下に反転した形状となる。
【００５０】
そして、図５と図６（Ｃ）とに示すように、プリント配線基板２１を面に対して垂直方向、言い換えれば導電層面に対して垂直方向（図２（Ａ）、（Ｂ）の矢印Ｍ方向）に平面視すると、第一配線パターン３００の中央部３０２と第二配線パターン３５０の中央部３５２とがほぼずれることなく重なる。そして、図６（Ｃ）に示すように、この重なった領域（図６（Ｃ）の斜線部分）を重なり合う部分３９０とする。この重なり合う部分３９０は、中央部３０２及び中央部３５２とほぼ同一形状である。なお、以降、「重なり合う部分」を「重合部分」と略して記載する。
【００５１】
なお、中央部３０２と中央部３５２とに、形状や大きさに若干の差があっても、電磁波ノイズが互いに相殺される効果を奏すれば中央部３０２と中央部３５２とはほぼ同一形状である、とする。また、中央部３０２と中央部３５２とが若干ずれて重なっていても、電磁波ノイズが互いに相殺される効果を奏すれば中央部３０２と中央部３５２はほぼずれることなく重なっている、とする。
【００５２】
また、図６（Ｃ）に示すように、第一配線パターン３００及び第二配線パターン３５０の幅方向の最小幅は第一突出部３０４の幅Ｌ１である。なお、第二突出部３０６、第一突出部３５４、第二突出部３５６の幅も同じ幅Ｌ１である。また、重合部分３９０（中央部３０２、３５２）の最大幅である幅Ｌ２は、幅Ｌ１よりも幅広である。
【００５３】
なお、ＶＣＣ（電源）層２０８（図２（Ｂ）参照）、ＧＮＤ（接地）層２１０（図２（Ｂ）参照）はベタパターンであるが、第一配線パターン３００と第二配線パターン３５０とに対応する領域にはパターンが形成されていない。換言すると、第一配線パターン３００と第二配線パターン３５０が形成されている領域は、ＶＣＣ（電源）層２０８、ＧＮＤ（接地）層２１０の導電体が削除されている。
【００５４】
図４と図５とに示すようにプリント配線基板２１を平面視すると、第一配線パターン３００の第一突出部３０４と第二配線パターン３５０の第二突出部３５６の端部同士が重なっており、その重なった部分がスルーホール３７０によって接続されている。同様に、第一配線パターン３００の第二突出部３０６と第二配線パターン３５０の第一突出部３５４の端部同士が重なっており、その重なった部分がスルーホール３７０によって接続されている。
【００５５】
また、プリント配線基板２１に形成される一対の差動信号配線パターンの両端部には、一対のパッド３８０Ａ，Ｂと一対のパッド３８２Ａ，Ｂとが設けられている。そして、一方の端部のパッド３８０Ａは第二配線パターン３５０の第一突出部３５４とスルーホール３７０を介して接続されている。また、パッド３８０Ｂは、第一配線パターン３００の第一突出部３０４と接続されている。他方の端部のパッド３８２Ａは、第一配線パターン３００の第二突出部３０６と接続され、パッド３８２Ｂは第二配線パターン３５０の第二突出部３５６とスルーホール３７０を介して接続されている。
【００５６】
プリント配線基板２１に形成される一対の差動信号配線パターンの両端部は、このような構成をしているので、図４に示すように、一方の差動信号Ｔ１（実線の矢印）は、パッド３８０Ａから入力し、スルーホール３７０を介して第二配線パターン３５０の第一突出部３５４に入力する。そして、中央部３５２、第二突出部３５６と流れた後、スルーホール３７０を介して第一配線パターン３００の第一突出部３０４に入力され、中央部３０２、第二突出部３０６と流れた後、スルーホール３７０を介して第二配線パターン３５０の第一突出部３５４に入力される。そして、最終的にパッド３８２Ａから出力される。
【００５７】
また、他方の差動信号Ｔ２（一点破線の矢印）は、パッド３８０Ｂから入力し、第一配線パターン３００の第一突出部３０４、中央部３０２、第二突出部３０６と流れた後、スルーホール３７０を介して第二配線パターン３５０の第一突出部３５４に入力され、中央部３５２、第二突出部３５６と流れた後、スルーホール３７０を介して第一配線パターン３００の第一突出部３０４に入力される。そして、最終的にパッド３８２Ｂから出力される。
【００５８】
このように、一対の差動信号Ｔ１，Ｔ２は、第一信号層２０６（図２（Ｂ）参照）と第二信号層２１２（図２（Ｂ）参照）とを交互に入れ替わり、且つ交差しながら伝送されていく。なお、一対の差動信号Ｔ１，Ｔ２が伝送される配線パターンの長さはほぼ等しい（ほぼ等長である）。Ｔ１，Ｔ２の長さが異なっていても電磁波ノイズを相殺する効果を奏すればほぼ等しい、とする。
【００５９】
また、図４と図６（Ｃ）に示すように、一方の差動信号Ｔ１と他方の差動信号Ｔ２は、プリント配線基板２１の面に対して垂直方向（図２（Ａ）、（Ｂ）の矢印Ｍ方向）に平面視すると、中央部３０２、３５２（重合部分３９０）において、互いに向きが反対方向に且つ平行に伝送されている。
【００６０】
また、第一信号層２０６と第二信号層２１２との間の層には、他の信号が伝送される信号層が配置されていない。つまり、第一信号層２０６と第二信号層２１２とは、直近に配置されている。
【００６１】
なお、前述したように、プリント配線基板２１には、第一配線パターン３００、第二配線パターン３５０、パッド３８０Ａ，Ｂ、パッド３８２Ａ，Ｂ、スルーホール３７０が、Ｙ、Ｍ、Ｃ、Ｋそれぞれに対して設けられている。
【００６２】
また、本実施形態では、図６（Ｃ）等に示すように、平面視すると、中央部３０２と中央部３５２とがほぼずれなく重なっていたが、これに限定されない。中央部３０２と中央部３５２との少なくとも一部が重なっていれば、ずれていても良い。
【００６３】
次に、上記実施形態の第一配線パターンと第二配線パターンの変形例について説明する。なお、配線パターン以外は同様の構成であるので、説明及び図示を省略する。
【００６４】
先ず、第一変形例について説明する。
【００６５】
図８（Ａ）に示すように、第一信号層２０６（図２（Ｂ）参照）に形成されている第一配線パターン４００は、平行四辺形状の中央部４０２を有している。更に、図における中央部４０２の左下部から左側に突出する第一突出部４０４と右上部から右側に突出する第二突出部４０６とを有している。そして、図示は省略するが、第一突出部４０４と第二突出部４０６とが幅方向に見ると重なるように長手方向に一列に並んで配置されている。
【００６６】
図８（Ｂ）に示すように、第二信号層２１２（図２（Ｂ）参照）に形成されている第二配線パターン４５０は、平行四辺形状の中央部４５２を有している。更に、図における中央部４５２の左上部から左側に突出する第一突出部４５４と右下部から右側に突出する第二突出部４５６とを有している。そして、図示は省略するが、第一突出部４５４と第二突出部４５６とが幅方向に見ると重なるように長手方向に一列に並んで配置されている。
【００６７】
図８（Ａ）と図８（Ｂ）とに示すように、第一配線パターン４００の中央部４０２と第二配線パターン４５０の中央部４５２とはほぼ同一形状（形状・大きさ共に同じ）である。
【００６８】
そして、図８（Ｃ）に示すように、平面視すると、第一配線パターン４００の中央部４０２と第二配線パターン４５０の中央部４５２とがほぼずれることなく重なっている。この重なった領域（図８（Ｃ）の斜線部分）が重合部分４９０である。この重合部分４９０は、中央部４０２と中央部４５２と同一形状である。
【００６９】
次に、第二変形例について説明する。
【００７０】
図９（Ａ）に示すように、第一信号層２０６（図２（Ｂ）参照）に形成されている第一配線パターン５００は、全体が平行四辺形状で構成されている。
【００７１】
図９（Ｂ）に示すように、第二信号層２１２（図２（Ｂ）参照）に形成されている第二配線パターン５５０も、全体が平行四辺形状で構成されているが、第一配線パターン５００（図９（Ａ）参照）と上下反転している。
【００７２】
図示は省略するが、第一配線パターン５００及び第二配線パターン５５０は、幅方向に見ると長手方向の両端側の角部５００Ａ、５５０Ａと角部５００Ｂ、５５０Ｂの端部が重なるように長手方向に一列に並んで配置されている。
【００７３】
そして、図９（Ｃ）に示すように、平面視して重なっている部分が重合部分５９０（図の斜線の領域）である。また、重なっていない領域の角部５００Ａと角部５５０Ｂ，及び角部５００Ｂと角部５５０Ａがスルーホール（図示略）で接続されている。
【００７４】
次に、第三変形例について説明する。
【００７５】
図１０（Ａ）に示すように、第一信号層２０６（図２（Ｂ）参照）に形成されている第一配線パターン６００の中央部６０２は、第二信号層２１２（図２（Ｂ）参照）に形成されている第二配線パターン３５０の中央部３５２（図１０（Ｂ）参照）よりも、長手方向幅が幅狭に構成されている。図示は省略するが、第一配線パターン６００は、第一突出部６０４と第二突出部６０６とが幅方向に見ると重なるように長手方向に一列に並んで配置されている。そして、図１０（Ｃ）に示すように、平面視して、第一配線パターン６００と第二配線パターン３５０とが重なっている部分が重合部分６９０（図の斜線の領域）である。
【００７６】
次に、第四変形例について説明する。
【００７７】
図１１（Ａ）に示すように、第一信号層２０６（図２（Ｂ）参照）に形成されている第一配線パターン７００の中央部７０２は、第二信号層２１２（図２（Ｂ）参照）に形成されている第二配線パターン３５０の中央部３５２（図１１（Ｂ）参照）よりも、長手方向幅が幅狭に構成されている。更に、中央部７０２は、幅方向に対して角度を持って斜めに構成されている（本実施形態では、図における左側に向かうに従って下り勾配に傾斜している）。
【００７８】
図示は省略するが、第一配線パターン７００は、第一突出部７０４と第二突出部７０６とが幅方向に見ると重なるように長手方向に一列に並んで配置されている。そして、図１１（Ｃ）に示すように、平面視して、第一配線パターン７００と第二配線パターン３５０とが重なっている部分が重合部分７９０（図の斜線の領域）である。
【００７９】
なお、本発明は上記実施形態に限定されない。
【００８０】
例えば、第一配線パターン、第二配線パターンは、変形例を含む上記実施形態の構成に限定されない。他の構成であっても良い。
【００８１】
また、例えば、上記実施形態のプリント配線基板２１の導電層２０４は、四層構造であったがこれに限定されない。少なくとも第一信号層２０６と第二信号層２１２を備えていれば良い。例えば、第一信号層２０６と第二信号層２１２の二層構造であっても良い。なお、三層構造以上の場合、第一信号層２０６と第二信号層２１２との間の層には、他の信号が伝送される信号層を配置しない方が望ましい。つまり、第一信号層２０６と第二信号層２１２とは、直近の関係となるように配置されていることが望ましい。但し、信号層以外、例えば、上記実施形態のようにＶＣＣ（電源）層２０８、ＧＮＤ（接地）層２１０が配置されていても良い。
【００８２】
また、例えば、上記実施形態では、画像処理部２０を構成するプリント配線基板２１（図１参照）に本発明を適用したが、これに限定されない。差動信号を伝送するフレキシブルプリント配線基板にも適用することができる。例えば、本実施例のフレキシブルプリント基板２００に適用しても良い。或いは、フレキシブルプリント基板以外にも本発明を適用できる。例えば、硬質な材料とフレキシブルな材料とを複合したリジッドフレキシブル基板などにも本発明を適用できる。
【００８３】
また、画像データ以外の差動で動作する信号の伝送にも本発明を適用できる。
【００８４】
また、上記実施形態では、画像形成装置としてカラー複写装置０１（図１参照）を一例としてあげたが、これに限定されない。モノクロの複写装置であっても良い。或いは、複写機装置以外の画像形成装置であっても良い。例えば、プリンター装置であっても良いし、ＦＡＸ装置であっても良い。或いは、複写装置、プリンター装置、ＦＡＸ装置の少なくとも二つ以上の機能有する複合装置であっても良い。
【００８５】
また、例えば、上記実施形態では、電子写真方式を用いて画像を形成していたが、これに限定されない。インクジェット方式や熱転写方式など、電子写真方式以外の画像形成方法を用いて画像を形成する画像形成装置にも本発明を適用できる。
【００８６】
更に、画像形成装置以外の電子・電気機器にも本発明を適用できる。例えば、液晶テレビ、オーディオ、計測器（オシロスコープ）、ＵＳＢを備えた機器
にも、本発明を適用できる。
【図面の簡単な説明】
【００８７】
【図１】画像形成装置の一例としてのカラー複写装置の機構図である。
【図２】（Ａ）は本発明の実施形態に係るプリント配線基板の斜視図であり、（Ｂ）は（Ａ）のＢ−Ｂ断面を模式的に示す断面図である。
【図３】本発明の実施形態に係るプリント配線基板の、（Ａ）は第一信号層の第一配線パターンを平面視した図であり、（Ｂ）は第二信号層の第二配線パターンを平面視した図である。
【図４】第一信号層の第一配線パターンと第二信号層の第二配線パターンとを模式的に示すと共に、一対の差動信号の流れを説明する斜視図である。
【図５】第一信号層の第一配線パターンと第二信号層の第二配線パターンと両方を平面視した図である
【図６】（Ａ）は第一配線パターンを平面視した図であり、（Ｂ）は第二配線パターンを平面視した図であり、（Ｃ）は第一配線パターンと第二配線パターンとの両方を平面視した図である。
【図７】画像信号を説明する説明図である。
【図８】第一変形例の、（Ａ）は第一配線パターンを平面視した図であり、（Ｂ）は第二配線パターンを平面視した図であり、（Ｃ）は第一配線パターンと第二配線パターンとの両方を平面視した図である。
【図９】第二変形例の、（Ａ）は第一配線パターンを平面視した図であり、（Ｂ）は第二配線パターンを平面視した図であり、（Ｃ）は第一配線パターンと第二配線パターンとの両方を平面視した図である。
【図１０】第三変形例の、（Ａ）は第一配線パターンを平面視した図であり、（Ｂ）は第二配線パターンを平面視した図であり、（Ｃ）は第一配線パターンと第二配線パターンとの両方を平面視した図である。
【図１１】第四変形例の、（Ａ）は第一配線パターンを平面視した図であり、（Ｂ）は第二配線パターンを平面視した図であり、（Ｃ）は第一配線パターンと第二配線パターンとの両方を平面視した図である。
【符号の説明】
【００８８】
０１      カラー複写装置（画像形成装置）
２１      プリント配線基板
２００      フレキシブルプリント基板
２０６      第一信号層（信号層）
２１２      第二信号層（信号層）
３００      第一配線パターン
３０２      中央部
３０４      第一突出部
３０６      第二突出部
３５０      第二配線パターン
３５２      中央部
３５４      第一突出部
３５６      第二突出部
３７０      スルーホール（層間接続部）
３９０      重合部分（重なり合う部分）
４００      第一配線パターン
４０２      中央部
４０４      第一突出部
４０６      第二突出部
４５０      第二配線パターン
４５２      中央部
４５４      第一突出部
４５６      第二突出部
４９０      重合部分（重なり合う部分）
５００      第一配線パターン
５５０      第二配線パターン
５９０      重合部分（重なり合う部分）
６００      第一配線パターン
６９０      重合部分（重なり合う部分）
７００      第一配線パターン
７９０      重合部分（重なり合う部分）
【図１】
2008187088.tif 000003
【図２】
2008187088.tif 000004
【図３】
2008187088.tif 000005
【図４】
2008187088.tif 000006
【図５】
2008187088.tif 000007
【図６】
2008187088.tif 000008
【図７】
2008187088.tif 000009
【図８】
2008187088.tif 000010
【図９】
2008187088.tif 000011
【図１０】
2008187088.tif 000012
【図１１】
2008187088.tif 000013